(57)【要約】      （修正有）【課題】シンプルな構成で設置にスペースを要せず、遠隔操作によってパチンコ台枠の傾斜角度の微調整が可能であり、また、パチンコ遊技台を島枠に設置した後に傾斜が生じた場合に、その傾きを検出して自動調整する機能を有するパチンコ遊技台の傾斜度自動調節システムを提供する。【解決手段】島枠２内に収装されるパチンコ台枠３の上辺に設置される傾斜角度センサー４と、島枠からパチンコ台枠の上辺にかけて設置される傾斜角度調節ユニット５と、傾斜角度センサーからの傾斜角度情報を解析する制御部と、前記制御部における解析結果に応じて、前記傾斜角度調節ユニットを動作させる制御基板７とから成り、傾斜角度調節ユニットは、制御基板からの作動信号を受けて動作してパチンコ台枠の傾斜角度を自動調節する。【選択図】図１
0003232597.tif 000002
【実用新案登録請求の範囲】
【請求項１】
島枠内に収装されるパチンコ台枠の上辺に設置される傾斜角度センサーと、
前記島枠から前記パチンコ台枠の上辺にかけて設置される傾斜角度調節ユニットと、
前記傾斜角度センサーからの傾斜角度情報を解析する制御部と、
前記制御部における解析結果に応じて、前記傾斜角度調節ユニットを動作させる制御基板とから成り、
前記傾斜角度調節ユニットは、前記制御基板からの作動信号を受けて動作して前記パチンコ台枠の傾斜角度を自動調節することを特徴とするパチンコ台枠傾斜度自動調節システム。
【請求項２】
前記制御部は遊技施設全体を管理するホールコンピュータに組み込まれる、請求項１に記載のパチンコ台枠傾斜度自動調節システム。
【請求項３】
前記制御部は前記制御基板に組み込まれる、請求項１に記載のパチンコ台枠傾斜度自動調節システム。
【請求項４】
前記傾斜角度センサーからの傾斜角度情報は、前記制御基板を介して前記ホールコンピュータに送られる、請求項１又は２に記載のパチンコ台枠傾斜度自動調節システム。
【請求項５】
前記制御基板は各パチンコ台に設置されている呼出しランプ内に配備される、請求項１乃至４のいずれかに記載のパチンコ台枠傾斜度自動調節システム。
【請求項６】
前記傾斜角度調節ユニットは、前記制御基板からの指令に基づいて動作するステッピングモータによって駆動される、請求項１乃至５のいずれかに記載のパチンコ台枠傾斜度自動調節システム。
【請求項７】
前記傾斜角度調節ユニットは、前記パチンコ台枠の上辺の左右に一対設置される、請求項１乃至６のいずれかに記載のパチンコ台枠傾斜度自動調節システム。
【請求項８】
前記一対の傾斜角度調節ユニットは個別に動作可能にされる、請求項７に記載のパチンコ台枠傾斜度自動調節システム。
【請求項９】
前記傾斜角度調節ユニットは、前記パチンコ台枠の上辺を、予め数段階に設定された距離前後方向に移動させるように制御される、請求項１乃至８のいずれかに記載のパチンコ台枠傾斜度自動調節システム。
【請求項１０】
前記傾斜角度センサーにより検出された傾斜角度が所定値を超えた場合に警報が発せられる、請求項１乃至９のいずれかに記載のパチンコ台枠傾斜度自動調節システム。
【考案の詳細な説明】
【技術分野】
【０００１】
本考案は、パチンコ遊技台の傾斜度自動調節システムに関するものであり、より詳細には、パチンコ遊技台を島枠に設置するに際し、簡単な操作でその傾斜度を微調整し得ると共に、設置後の傾斜を自動的に検出して、当初の設定傾斜角度に自動調整するパチンコ遊技台の傾斜度自動調節システムに関するものである。
【背景技術】
【０００２】
パチンコ遊技台は、ベース上の島枠の内側に直接取り付けられるパチンコ台枠と、台枠内に設置されるパチンコ本体とで構成される。このパチンコ遊技台を島枠に設置するに当たっては、パチンコ本体と台枠とを切り離しておき、先に台枠を島枠内に嵌め入れて固定し、その後、パチンコ本体を台枠にヒンジを用いて取り付ける。台枠の島枠への固定は、台枠を島枠内に概ね垂直となるように嵌め入れて、その上辺及び下辺を釘止め、ネジ止め等により島枠に固定することにより行われる。そして、パチンコ本体を台枠に設置した後、パチンコ本体を、予め設定した傾斜角度に調節する。
【０００３】
このパチンコ本体の傾斜角度は、玉の入賞に大いに関係する。即ち、機種にもよるが、一般的にパチンコ台の傾斜が小さいと、玉が盤面に当たりにくくなって落下スピードが増し、釘に絡みにくくなるために入賞の確率が低下し、逆に、傾斜が大きいと、玉の落下スピードが落ちて釘に絡みやすくなる結果、入賞の確率が増す。これに対して、いわゆる羽根物タイプの場合は、ゲージや役物（盤面上の飾りや大当たりギミック等）の構造上、パチンコ台の傾斜を起こすと、入賞しやすくなるという面がある。このように、パチンコ台の傾斜度は入賞確率に大きく関係しているので、パチンコ台の傾斜度を適切に管理しないと、パチンコ店の営業利益に大きな影響が及ぶことになる。
【０００４】
パチンコ本体は、その設置に際して、予め設定した傾斜角度に調節されるが、その後の使用において多くの振動を受け続けることで、その傾斜角度が微妙に変化してくる。図８は、高さ８１０ｍｍのパチンコ台枠３における、１度の傾斜寸法値と○分○厘の比較表示を示すものであり、そこに示されているように、１度傾斜させた場合の寸法（上端の移動量）は４分７厘（１４．１ｍｍ）にもなる。従って、パチンコ台枠の傾斜度調整は、１度以内の微調整ということになる。
【０００５】
このパチンコ本体の傾斜角度の調節を自動的に行うための傾斜度調節システムが、種々提案されている。例えば、特開２００６−１９２１５９号公報には、台枠の上辺又は下辺に噛み込んで、台枠の上辺又は下辺を水平方向に変位駆動するユニットが、島枠の上辺及び下辺のそれぞれに一対ずつ配置して成るパチンコ遊技台の取り付け装置が開示されている。
【０００６】
しかし、そこに開示されている装置の場合、各ユニットは、構成が複雑で組み立てに時間とコストがかかるだけでなく、パチンコ遊技台の傾斜度の微調節を簡単且つ迅速に行うという要請に応えることができないという問題がある。また、各ユニットを制御するためのコントロールボックスを、スペースに余裕がない島の上部の開閉自在な開口部位に配置しなければならない、という制約が伴うものであり、容易には設置し得ないという問題がある。
【０００７】
また、特開２００８−２８４２８０号公報には、島枠の下辺の中央部に駆動装置を配設し、パチンコ台枠に取り付けた角度検知装置からの検出角度信号に基づいて駆動装置が、パチンコ台枠の下辺を押し引き駆動してパチンコ台枠の傾斜を調節するパチンコ遊技台の設置角度自動調節装置が開示されている。しかし、この装置の場合は、パチンコ台枠の重量が集中する下辺部を押し引き駆動する構成であるために、大きな押し引き力が必要となるため、効率がよくないという問題がある。また、駆動装置とパチンコ台枠の下辺とが、単に駆動装置のネジ杆を介して連結されているだけであるので、パチンコ台枠の確固たる固定状態を確保することができないという問題もある。
【０００８】
更に、これら従来のパチンコ遊技台の設置角度調節装置は、パチンコ遊技台を島枠に設置する際にその傾斜度を微調整するものであり、設置後に傾斜が生じた場合に、その傾きを検出して自動調整する機能を有するものではない。
【先行技術文献】
【特許文献】
【０００９】
【特許文献１】特開２００６−１９２１５９号公報
【特許文献２】特開２００８−２８４２８０号公報
【考案の概要】
【考案が解決しようとする課題】
【００１０】
上述したように、従来提案されているパチンコ遊技台の傾斜角度の自動調節装置の場合は、機構が複雑であるとか、微妙な調節が難しいとか、パチンコ台枠の確固たる保持が難しいとか、設置にスペースが必要とかいった問題があり、更には、パチンコ遊技台を島枠に設置した後に傾斜が生じた場合に、その傾きを検出して自動調整する機能を持ち合わせていないという問題があった。
【００１１】
そこで本考案は、このような問題のない、即ち、シンプルな構成で設置にスペースを要せず、遠隔操作によってパチンコ台枠の傾斜角度の微調整が可能であり、また、パチンコ遊技台を島枠に設置した後に傾斜が生じた場合に、その傾きを検出して自動調整する機能を有するパチンコ遊技台の傾斜度自動調節システムを提供することを課題とする。
【課題を解決するための手段】
【００１２】
上記課題を解決するための請求項１に係る考案は、島枠内に収装されるパチンコ台枠の上辺に設置される傾斜角度センサーと、前記島枠から前記パチンコ台枠の上辺にかけて設置される傾斜角度調節ユニットと、前記傾斜角度センサーからの傾斜角度情報を解析する制御部と、前記制御部における解析結果に応じて、前記傾斜角度調節ユニットを動作させる制御基板とから成り、前記傾斜角度調節ユニットは、前記制御基板からの作動信号を受けて動作して前記パチンコ台枠の傾斜角度を自動調節することを特徴とするパチンコ台枠傾斜度自動調節システムである。
【００１３】
一実施形態においては、前記制御部は遊技施設全体を管理するホールコンピュータに組み込まれ、他の実施形態においては、前記制御部は前記制御基板に組み込まれる。
【００１４】
一実施形態においては、前記傾斜角度センサーからの傾斜角度情報は、前記制御基板を介して前記ホールコンピュータに送られる。
【００１５】
一実施形態においては、前記制御基板は各パチンコ台に設置されている呼出しランプ内に配備される。
【００１６】
一実施形態においては、前記傾斜角度調節ユニットは、前記制御基板からの指令に基づいて動作するステッピングモータによって駆動される。また、前記傾斜角度調節ユニットは、前記パチンコ台枠の上辺の左右に一対設置され、前記一対の傾斜角度調節ユニットは個別に動作可能にされる。
【００１７】
一実施形態においては、前記傾斜角度調節ユニットは、前記パチンコ台枠の上辺を、予め数段階に設定された距離前後方向に移動させるように制御される。また、一実施形態においては、前記傾斜角度センサーにより検出された傾斜角度が所定値を超えた場合に警報が発せられる。
【考案の効果】
【００１８】
本考案は上記のとおりであって、シンプルな構成で設置にスペースを要せず、遠隔操作によってパチンコ台枠の傾斜角度の微調整が可能であり、また、パチンコ遊技台を島枠に設置した後に傾斜が生じた場合に、その傾きを検出して自動調整する効果がある。
【００１９】
また、自動調節ユニットの駆動にステッピングモータが用いられるために、パチンコ台枠の傾斜度の微調節を遠隔操作によって簡単に行うことが可能となり、殊に、パチンコ台枠の上辺を、予め数段階に設定された距離前後方向に移動させるように制御することで、リモコン操作等により、微妙な傾斜度調節を効率よく画一的に行うことが可能となる効果があり、更に、遊技施設全体を管理するホールコンピュータを利用するため、各パチンコ台の傾斜度管理を一括・集中的に行い得る効果がある。
【図面の簡単な説明】
【００２０】
【図１】本考案に係るパチンコ遊技台の傾斜度自動調節システムの一実施形態の概略構成図である。
【図２】図１に示す実施形態における処理の流れを示す図である。
【図３】本考案に係るパチンコ遊技台の傾斜度自動調節システムの他の実施形態の概略構成図である。
【図４】図３に示す実施形態における処理の流れを示す図である。
【図５】本考案に係るパチンコ遊技台の傾斜度自動調節システムの更に他の実施形態の概略構成図である。
【図６】図５に示す実施形態における処理の流れを示す図である。
【図７】本考案に係るパチンコ遊技台の傾斜度自動調節システムにおける傾斜角度調節ユニットの構成例を示す縦断面図である。
【図８】パチンコ台枠の傾斜度と、前後方向への移動距離との関係を説明するための図である。
【考案を実施するための形態】
【００２１】
本考案を実施するための形態について、添付図面に依拠して説明する。本考案に係るパチンコ遊技台の傾斜度調節システムは、ベース１上の島枠２内に収装されるパチンコ台枠３の上辺に設置される傾斜角度センサー４と、島枠２とパチンコ台枠３の上辺とにかけて設置される傾斜角度調節ユニット５と、傾斜角度センサー４から送信される傾斜角度情報を解析する制御部と、制御部による解析結果を受けて傾斜角度調節ユニット５を動作させる指令部とを含んで構成され、傾斜角度調節ユニット５が、指令部からの指令を受けて動作してパチンコ台枠３の傾斜角度を自動調節することを特徴とするものである。
【００２２】
上記システムにおいて、制御部による解析結果を受けて傾斜角度調節ユニット５を動作させる指令部は、制御基板（端末）７に組み込まれるが、傾斜角度センサー４から送信される傾斜角度情報を解析する制御部は、遊技施設全体を管理するホールコンピュータ８に組み込まれる場合（図１〜４）と、制御基板（端末）７に組み込まれる場合（図５，６）とがある。それぞれの場合における傾斜角度情報の処理の流れについては、後述する。
【００２３】
傾斜角度センサー４は、パチンコ台枠３の内天面、即ち、パチンコ台枠３の上辺裏面に一対設置され、遊技機全体の傾きを検出する。傾斜角度センサー４はパチンコ台枠３の前後方向の傾きを検出するものであるが、必要に応じて更に左右方向の傾きを検出する傾斜角度センサーを設置することもある。その場合は、傾斜角度調節ユニット５と同様の傾斜角度調節ユニットが、駆動方向が左右方向となるように設置される。
【００２４】
傾斜角度調節ユニット５は、ステッピングモータによって駆動されるタイプのものとされ、島枠２からパチンコ台枠３の上辺にかけて、左右一対設置される。図７は、傾斜角度調節ユニット５の構成例を示すもので、そこに示される傾斜角度調節ユニット５は、複数のギアで構成されるギア組１０が組み込まれていて島枠２に設置されるギアボックス１１と、ギアボックス１１に付設されてギア組１０を回転駆動するステッピングモータ１２と、端部に設置された被動ギアがギア組１０に噛合して回転駆動されることにより、軸方向に進退駆動されるネジ杆１３を備えている。
【００２５】
ギアボックス１１は、島枠２にギアボックス用ベース１４を介して設置される。ギアボックス用ベース１４はクランク形状で、その前半部が島枠２の内天面に取り付けられ、その後半部にギアボックス１１から水平に伸びる連結板１５が固定されることで、ギアボックス１１が島枠２に固定される。そして、連結板１５の裏面に図示せぬスライドガイドが設置され、このスライドガイドにより、ネジ杆３の先端に取り付けられたスライド板１７が摺動可能に支持される。例えば、スライドガイドは水平方向に伸びる一対の溝を有するものとし、スライド板１７の上辺にその溝に係合する鍔部を設けることとする。
【００２６】
スライド板１７は、その底部に設置されるブラケット１８を介して、先端部がパチンコ台枠３の内天面に固定される作用部に連結される。作用部は、ブラケット１８に連結される係止板１９と、係止板１９から水平方向に伸びる固定板２０から成る。係止板２０には縦長孔２１が突設され、そこに、ブラケット１８の先端部に横向きに挿入された係止ピン２２が摺動自在に係合する。作用部は、その固定板２０がパチンコ台枠３の内天面に留め付けられることで、パチンコ台枠３に固定状態となる。
【００２７】
ギアボックス１１内にはフォトインタラプタ２５が配設されていて、ネジ杆１３に一体の軸筒に設けたフランジ２６の回転角を検出し、ネジ杆１３の進退量を検出し得るように構成されている。
【００２８】
かかる構成の傾斜角度調節ユニット５の場合、後述するように制御基板７からの信号を受けてステッピングモータ１２が作動することでネジ杆１３が進退動作し、それに伴いスライド板１７並びにブラケット１８がスライドガイドに支持されて水平方向に進退動作する。このブラケット１８の動きは、その先端部の係止ピン２２を介して係止板１９に伝達され、係止板１９が水平方向に押し引きされるが、係止ピン２２が縦長孔２１に係合している関係で、パチンコ台枠３は、底辺を回動軸として円弧状に押し引き可能となり、以て、その傾斜度の調節が可能となる。
【００２９】
この傾斜角度調節ユニット５の場合は、作用部の固定板２０の複数個所がビス止め等によりパチンコ台枠３の内天面に留め付けられる構成であるため、パチンコ台枠３に対する固定状態は強固である。また、島枠２に対してスライドガイドを、直接ではなく、ギアボックス用ベース１４を介して設置することとしているので、パチンコ台枠３上部の厚みにばらつきがあっても（メーカーによって均一ではない）、問題なく対応可能となる。
【００３０】
上述したように、傾斜角度センサー４から送信される傾斜角度情報を解析する制御部は、ホールコンピュータ８に組み込まれる場合（図１〜４）と、制御基板（端末）７に組み込まれる場合（図５，６）とがある。先ず、前者の場合につき、図１乃至図４を参照しつつ説明する。
【００３１】
図１及び図２に示される構成例においては、傾斜角度センサー４から傾斜角度情報が、常時、制御基板（端末）７を介してホールコンピュータ８に送信され、ホールコンピュータ８の制御部において、初期設定と異なる傾斜か否かの判断がなされる。ここにおいて、初期設定と異なる傾斜であると判断された場合は、制御部から修正指示信号が制御基板７に送られ、制御基板７からステッピングモータ１２に対し、修正対応分の回転指示信号が送信される。かくしてステッピングモータ１２が修正指示分回転して傾斜角度調節ユニット５を駆動し、パチンコ台枠３の上辺を押し引きして、その傾斜度を調節する。
【００３２】
なお、本システムは各遊戯台ごとに設置されるので、ホールコンピュータ８の制御部には多数の傾斜角度情報が集まることになる。そこで、制御部においては先ず、送られてくる傾斜角度情報がどの遊戯台からのものであるかの判別がなされる。また、修正指示も、各遊戯台ごとに行われることになる。以下の構成の場合も同様である。かくして、ホールコンピュータ８において、全遊戯台の一括管理が可能となる。
【００３３】
図３及び図４に示される構成例においては、傾斜角度センサー４からの傾斜角度情報は直接ホールコンピュータ８に取り込まれ、ホールコンピュータ８の制御部において、初期設定と異なる傾斜か否かの判断がなされる。そして、上記の場合と同様に、初期設定と異なる傾斜であると判断された場合に、制御部から修正指示信号が制御基板７に送られ、制御基板７からステッピングモータ１２に対し、修正対応分の回転指示信号が送信され、上記と同様にして、パチンコ台枠３の傾斜度の調節が行われる。
【００３４】
また、制御部が制御基板７に組み込まれる図５及び図６に示される構成例においては、傾斜角度センサー４からの傾斜角度情報は制御基板７に送られ、その制御部において、初期設定と異なる傾斜か否かの判断がなされる。そして、上記の場合と同様に、初期設定と異なる傾斜であると判断された場合には、制御基板７からステッピングモータ１２に対し、修正対応分の回転指示信号が送信され、上記と同様にして、パチンコ台枠３の傾斜度の調節が行われる。この場合、制御基板７からステッピングモータ１２に対して送られる修正指示の情報は、制御基板７からホールコンピュータ８に伝達されて共有される。
【００３５】
上述したように、傾斜角度調節ユニット５は、島枠２からパチンコ台枠３の上辺にかけて、左右一対設置されるが、その場合、一対の傾斜角度調節ユニット５は、同期させて同一の調節動作を行うように構成することもできるが、個別に調節動作可能に構成することが好ましい。そのようにした場合は、左右の傾斜角度調節ユニット５のネジ杆１３の進退量を変えることで、パチンコ台枠３の捩れや歪みを補正することが可能となる。
【００３６】
一実施形態においては、傾斜角度センサー４により検出された傾斜角度が所定値を超えた場合に、警報が発せられるように構成される。即ち、パチンコ台枠３が、傾斜角度調節ユニット５では対応できないほど傾斜してしまうこともあり得る。傾斜がそのレベルに達した場合、換言すれば、傾斜角度センサー４がそのレベルの傾斜を検出した場合、制御基板７からの信号を受けて図示せぬ警報装置が作動し、音や光で異常事態を報知するように構成することもできる。
【００３７】
本傾斜度自動調節システムは、パチンコ遊技台ごとに管理可能であるので、管理者の所持するリモコン３０の操作により動作させることもできるが、遊技施設全体を管理するホールコンピュータ８において一括集中管理させることが好ましい。また、制御基板７は、各パチンコ遊技台に配備されている呼び出しランプ３１内に配設することができる。
【産業上の利用可能性】
【００３８】
本考案に係る傾斜度自動調節システムは、上記いずれの実施形態においてもシンプルな構成で、微妙な傾斜度調節を効率よく画一的に行うことが可能となる。また、営業利益に直結する店舗内のすべてのパチンコ遊技台の台枠の傾斜度を、ホールコンピュータ７において一括集中管理でき、且つ、傾斜調整を行うことが可能となるもので、その産業上の利用性は大である。
【符号の説明】
【００３９】
１          ベース
２          島枠
３          パチンコ台枠
４          傾斜角度センサー
５          傾斜角度調節ユニット
７          制御基板
８          ホールコンピュータ
１０        ギア組
１１        ギアボックス
１２        ステッピングモータ
１３        ネジ杆
１７        スライド板
１８        ブラケット
１９        係止板
２０        固定板
２１        スライドガイド
２２        係止ピン
２５        フォトインタラプタ
２６        フランジ
【図１】
0003232597.tif 000003
【図２】
0003232597.tif 000004
【図３】
0003232597.tif 000005
【図４】
0003232597.tif 000006
【図５】
0003232597.tif 000007
【図６】
0003232597.tif 000008
【図７】
0003232597.tif 000009
【図８】
0003232597.tif 000010